(57)【要約】      （修正有）【課題】年ごとの運用データから得られる熱源システムの特性が反映された、対象季節の熱源モデルを作成する、熱源モデル作成装置および方法を提供する。【解決手段】熱源モデル作成装置１０は、年特性抽出部１７が、互いに異なる第１および第２の年の対象期間における運用データの回帰関数をそれぞれ特定することにより、第１および第２の年に関する第１および第２の年特性を抽出する。季節特性抽出部１８が、前年の対象季節における運用データに基づいて、これら運用データの回帰関数を特定することにより、前年の対象季節に関する季節特性を抽出する。熱源モデル作成部１９が、第１の年特性と第２の年特性の差分を示す特性補正係数を計算し、得られた特性補正係数に基づいて季節特性を補正することにより、当年の対象季節における熱源システムの入出力エネルギー特性を示す熱源モデルを作成する。【選択図】図１
2018185600.tif 000002
【特許請求の範囲】
【請求項１】
熱源システムから得られた、単位期間ごとの入力エネルギー量と出力エネルギー量との組からなる運用データに基づいて、対象季節に関する熱源モデルを作成する熱源モデル作成装置であって、
第１の年の１年間または一部期間からなる対象期間における前記運用データの回帰関数を特定することにより、前記第１の年に関する第１の年特性を抽出するとともに、第１の年とは異なる第２の年の前記対象期間における前記運用データの回帰関数を特定することにより、前記第２の年に関する第２の年特性を抽出する年特性抽出部と、
前年の対象季節における前記運用データに基づいて、これら運用データの回帰関数を特定することにより、前年の対象季節に関する季節特性を抽出する季節特性抽出部と、
前記第１の年特性と前記第２の年特性の差分を示す特性補正係数を計算し、得られた特性補正係数に基づいて前記季節特性を補正することにより、当年の対象季節における前記熱源システムの入出力エネルギー特性を示す熱源モデルを作成する熱源モデル作成部と
を備えることを特徴とする熱源モデル作成装置。
【請求項２】
請求項１に記載の熱源モデル作成装置において、
前記年特性抽出部は、前記回帰関数として、前記入力エネルギー量と前記出力エネルギー量の２次元座標における線形関数を特定し、
前記季節特性抽出部は、前記回帰関数として、前記２次元座標における線形関数を特定し、
前記熱源モデル作成部は、前記第１の年特性と前記第２の年特性の２つの線形関数の差分を示す切片の差分または切片および傾きの差分を、前記特性補正係数として計算し、前記季節特性を示す線形関数の切片または切片および傾きを補正することにより、前記熱源モデルを作成する
ことを特徴とする熱源モデル作成装置。
【請求項３】
請求項１または請求項２に記載の熱源モデル作成装置において、
前記年特性抽出部は、前記第１の年の前記運用データとして前々年に得られた運用データを用い、前記第２の年の前記運用データとして前年に得られた運用データを用いることを特徴とする熱源モデル作成装置。
【請求項４】
請求項１または請求項２に記載の熱源モデル作成装置において、
前記年特性抽出部は、前記第１の年の前記運用データとして前年の一部期間に得られた前記運用データを用い、前記第２の年の前記運用データとして当年の一部期間に得られた前記運用データを用いることを特徴とする熱源モデル作成装置。
【請求項５】
請求項１または請求項２に記載の熱源モデル作成装置において、
前記年特性抽出部は、前記第１の年の前記運用データとしてモデル作成時点から遡った規定期間分の運用データを用いるとともに、前記第２の年の前記運用データとして前記モデル作成時点の１年前からさらに遡った前記規定期間分の運用データを用いることを特徴とする熱源モデル作成装置。
【請求項６】
熱源システムから得られた、単位期間ごとの入力エネルギー量と出力エネルギー量との組からなる運用データに基づいて、対象季節に関する熱源モデルを作成する熱源モデル作成装置で用いられる熱源モデル作成方法であって、
年特性抽出部が、第１の年の１年間または一部期間からなる対象期間における前記運用データの回帰関数を特定することにより、前記第１の年に関する第１の年特性を抽出するとともに、第１の年とは異なる第２の年の前記対象期間における前記運用データの回帰関数を特定することにより、前記第２の年に関する第２の年特性を抽出する年特性抽出ステップと、
季節特性抽出部が、前年の対象季節における前記運用データに基づいて、これら運用データの回帰関数を特定することにより、前年の対象季節に関する季節特性を抽出する季節特性抽出ステップと、
熱源モデル作成部が、前記第１の年特性と前記第２の年特性の差分を示す特性補正係数を計算し、得られた特性補正係数に基づいて前記季節特性を補正することにより、当年の対象季節における前記熱源システムの入出力エネルギー特性を示す熱源モデルを作成する熱源モデル作成ステップと
を備えることを特徴とする熱源モデル作成方法。
【発明の詳細な説明】
【技術分野】
【０００１】
本発明は、熱源のエネルギー入出力特性を示す熱源モデルを作成するための熱源モデル作成技術に関する。
【背景技術】
【０００２】
熱源システムでは、電力、都市ガス、石油などのエネルギーを利用して、冷凍機、ボイラ、コジェネレーションなどの各種の熱源機器を運転することにより、冷水や蒸気などの熱エネルギーを生成し、工場やビル建物などの需要家に供給するエネルギー供給システムである。
【０００３】
このような熱源システムでは、省エネルギーや省コストの観点から、需要家で発生する需要すなわち熱負荷を満たしつつ、最小の運転コストで熱源機器を運転する必要がある。このため、熱源システムに入力される電力、都市ガス、石油などのエネルギーと、熱源システムから出力される冷水や蒸気などのエネルギーとの関係を、熱源モデルとして特定しておき、得られた熱源モデルに基づいて熱負荷を予測し、その予測結果に基づいて熱源システムを運転制御することが重要となる。
【０００４】
従来、蓄熱システムにおける熱負荷を予測する技術として、運転モードの切り替えを行う季節ごとに大まかな熱源モデルを、過去に得られた運用データから機械学習により生成する技術が提案されている（例えば、特許文献１など参照）。これにより、翌日の時刻ごとの熱負荷変化を示す熱負荷パターンを予測する場合には、センサで得られた当日の環境要素データ、外部から収集した翌日の気象要素データ、および予め保有する翌日の曜日データと、季節に応じた熱源モデルとに基づいて、翌日の熱負荷パターンを生成することができる。
【先行技術文献】
【特許文献】
【０００５】
【特許文献１】特開２００５−３２１８５２号公報
【発明の概要】
【発明が解決しようとする課題】
【０００６】
しかしながら、このような従来技術では、過去に得られた運用データを単に機械学習することにより対象季節の熱源モデルを作成しているため、季節と関係する特性を熱源モデルに反映できるものの、季節とは無関係の年間を通して得られる特性については熱源モデルに反映されていないという問題点があった。
【０００７】
すなわち、季節に応じて運転モードを切り替える場合、熱源システムの特性は季節ごとに大きく変化する。このため、このような季節ごとの特性は、過去年の同一季節における季節運用データからしか得ることができない。したがって、過去年の同一季節における季節運用データに基づいて、対象季節の熱源モデルを作成することは、極めて重要となる。
しかしながら、熱源システムの特性は、季節ごとの運用データからしか得られない季節特性だけではなく、年ごとの運用データからしか得られない年特性もある。例えば、熱源機器の運転効率などの性能は経時的に変化し、このような特性は、過去年の季節運用データでは得られない特性である。
【０００８】
従来技術によれば、例えば１年前の運用データから作成した対象季節の熱源モデルにより熱負荷を予測する場合、予測により得られる熱負荷は１年前の熱源機器の性能を前提とするものである。したがって、熱源モデルの熱源機器と現在の熱源機器との間には、少なくとも１年という時間経過が存在している。この時間経過は熱源機器の性能劣化において無視できない時間的長さを有している。したがって、単に対象季節の運用データから作成した熱源モデルには、熱源機器の性能劣化などの年特性が反映されておらず、熱負荷を精度よく予測することができない。
【０００９】
本発明はこのような課題を解決するためのものであり、年ごとの運用データから得られる熱源システムの特性が反映された、対象季節の熱源モデルを作成できる熱源モデル作成技術を提供することを目的としている。
【課題を解決するための手段】
【００１０】
このような目的を達成するために、本発明にかかる熱源モデル作成装置は、熱源システムから得られた、単位期間ごとの入力エネルギー量と出力エネルギー量との組からなる運用データに基づいて、対象季節に関する熱源モデルを作成する熱源モデル作成装置であって、第１の年の１年間または一部期間からなる対象期間における前記運用データの回帰関数を特定することにより、前記第１の年に関する第１の年特性を抽出するとともに、第１の年とは異なる第２の年の前記対象期間における前記運用データの回帰関数を特定することにより、前記第２の年に関する第２の年特性を抽出する年特性抽出部と、前年の対象季節における前記運用データに基づいて、これら運用データの回帰関数を特定することにより、前年の対象季節に関する季節特性を抽出する季節特性抽出部と、前記第１の年特性と前記第２の年特性の差分を示す特性補正係数を計算し、得られた特性補正係数に基づいて前記季節特性を補正することにより、当年の対象季節における前記熱源システムの入出力エネルギー特性を示す熱源モデルを作成する熱源モデル作成部とを備えている。
【００１１】
また、本発明にかかる上記熱源モデル作成装置の一構成例は、前記年特性抽出部が、前記回帰関数として、前記入力エネルギー量と前記出力エネルギー量の２次元座標における線形関数を特定し、前記季節特性抽出部は、前記回帰関数として、前記２次元座標における線形関数を特定し、前記熱源モデル作成部は、前記第１の年特性と前記第２の年特性の２つの線形関数の差分を示す切片の差分または切片および傾きの差分を、前記特性補正係数として計算し、前記季節特性を示す線形関数の切片または切片および傾きを補正することにより、前記熱源モデルを作成するようにしたものである。
【００１２】
また、本発明にかかる上記熱源モデル作成装置の一構成例は、前記年特性抽出部が、前記第１の年の前記運用データとして前々年に得られた運用データを用い、前記第２の年の前記運用データとして前年に得られた運用データを用いるようにしたものである。
【００１３】
また、本発明にかかる上記熱源モデル作成装置の一構成例は、前記年特性抽出部が、前記第１の年の前記運用データとして前年の一部期間に得られた前記運用データを用い、前記第２の年の前記運用データとして当年の一部期間に得られた前記運用データを用いるようにしたものである。
【００１４】
また、本発明にかかる上記熱源モデル作成装置の一構成例は、前記年特性抽出部が、前記第１の年の前記運用データとしてモデル作成時点から遡った規定期間分の運用データを用いるとともに、前記第２の年の前記運用データとして前記モデル作成時点の１年前からさらに遡った前記規定期間分の運用データを用いるようにしたものである。
【００１５】
また、本発明にかかる熱源モデル作成方法は、熱源システムから得られた、単位期間ごとの入力エネルギー量と出力エネルギー量との組からなる運用データに基づいて、対象季節に関する熱源モデルを作成する熱源モデル作成装置で用いられる熱源モデル作成方法であって、年特性抽出部が、第１の年の１年間または一部期間からなる対象期間における前記運用データの回帰関数を特定することにより、前記第１の年に関する第１の年特性を抽出するとともに、第１の年とは異なる第２の年の前記対象期間における前記運用データの回帰関数を特定することにより、前記第２の年に関する第２の年特性を抽出する年特性抽出ステップと、季節特性抽出部が、前年の対象季節における前記運用データに基づいて、これら運用データの回帰関数を特定することにより、前年の対象季節に関する季節特性を抽出する季節特性抽出ステップと、熱源モデル作成部が、前記第１の年特性と前記第２の年特性の差分を示す特性補正係数を計算し、得られた特性補正係数に基づいて前記季節特性を補正することにより、当年の対象季節における前記熱源システムの入出力エネルギー特性を示す熱源モデルを作成する熱源モデル作成ステップとを備えている。
【発明の効果】
【００１６】
本発明によれば、熱源システムの特性のうち、季節ごとの運用データからしか得られない季節特性が、例えば、熱源機器の運転効率の劣化など、年ごとの運用データからしか得られない年特性で補正されることになる。したがって、年ごとの運用データから得られる熱源システムの特性が反映された、対象季節の熱源モデルを作成することが可能となる。
【図面の簡単な説明】
【００１７】
【図１】熱源モデル作成装置の構成を示すブロック図である。
【図２】熱源モデルデータの構成例である。
【図３】運用ＤＢの構成例である。
【図４】熱源モデル作成処理を示すフローチャートである。
【図５】年特性抽出処理を示す説明図である。
【図６】年運用データと年特性の関係を示すグラフである。
【図７】季節特性抽出処理を示す説明図である。
【図８】季節運用データと季節特性の関係を示すグラフである。
【図９】特性補正係数の計算例を示す説明図である。
【図１０】特性補正係数の他の計算例を示す説明図である。
【発明を実施するための形態】
【００１８】
次に、本発明の一実施の形態について図面を参照して説明する。
［熱源モデル作成装置］
まず、図１を参照して、本実施の形態にかかる熱源モデル作成装置１０について説明する。図１は、熱源モデル作成装置の構成を示すブロック図である。
この熱源モデル作成装置１０は、全体としてサーバ装置などの情報処理装置からなり、熱源システム２０から得られた、単位期間ごとの入力エネルギー量と出力エネルギー量との組からなる運用データの回帰関数を特定することにより、対象季節に関する熱源モデルを作成する機能を有している。
【００１９】
熱源システム２０は、電力、都市ガス、石油などのエネルギーを利用して、冷凍機、ボイラ、コジェネレーションなどの各種の熱源機器３０を運転制御することにより、冷水や蒸気などの熱エネルギーを生成し、工場やビル建物などの需要家に供給するエネルギー供給システムである。
【００２０】
熱源システム２０の特性には、季節ごとの季節運用データから得られる特性だけではなく、季節より長いスパンである年間を通した年運用データからしか得られない特性も含まれている。例えば、熱源機器３０の性能劣化は、年間を通した年運用データからしか得られない特性の１つである。本発明は、このような熱源システム２０の特性に、季節ごとの季節特性と年間を通した年特性の２種類が含まれていることに着目し、これら２種類の特性をそれぞれの期間に対応する運用データから抽出し、季節ごとの熱源モデルに反映させるようにしたものである。
【００２１】
次に、図１を参照して、本実施の形態にかかる熱源モデル作成装置１０の構成について詳細に説明する。
熱源モデル作成装置１０には、主な機能部として、通信Ｉ／Ｆ部１１、操作入力部１２、画面表示部１３、記憶部１４、運用ＤＢ１５、データ収集部１６、年特性抽出部１７、季節特性抽出部１８、および熱源モデル作成部１９が設けられている。これら機能部のうち、データ収集部１６、年特性抽出部１７、季節特性抽出部１８、および熱源モデル作成部１９は、ＣＰＵとプログラムとが協働してなる演算処理部により実現されている。
【００２２】
通信Ｉ／Ｆ部１１は、通信回線Ｌを介して熱源システム２０などの外部装置との間でデータ通信を行うことにより、熱源システム２０の運用実績を示す運用データなどの各種データを送受信する機能を有している。
操作入力部１２は、キーボード、マウス、タッチパネルなどの操作入力装置からなり、オペレータの操作を検出して出力する機能を有している。
画面表示部１３は、ＬＣＤなどの画面表示装置からなり、操作メニュー画面、設定画面、熱源特性表示画面など、各種の画面を表示する機能を有している。
【００２３】
記憶部１４は、ハードディスクや半導体メモリなどの記憶装置からなり、熱源モデル作成処理に用いる各種処理データやプログラムを記憶する機能を有している。
記憶部１４で記憶する主な処理データとして、熱源モデルデータがある。熱源モデルデータは、運用データの回帰関数を特定することにより得られた、各季節における熱源システム２０の入出力エネルギーの関係を示す関数パラメータである。
【００２４】
図２は、熱源モデルデータの構成例である。ここでは、熱源モデル（回帰関数）が入力エネルギー量と出力エネルギー量の２次元座標における線形関数からなる場合が示されており、線形関数を特定する傾きと切片が、関数パラメータとして、冬期（１２，１，２月）、中間期（３，４，５，９，１０，１１月）、夏期（６，７，８月）の季節ごとに登録されている。
本実施の形態では、春期と秋期の熱源モデルが類似していることから共通する１つの熱源モデルと見なす場合を例として説明するが、これに限定されるものではなく、春期と秋期の熱源モデルを別個に生成してもよい。
【００２５】
運用ＤＢ１５は、熱源システム２０を実際に運用して得られた運用データが登録されているデータベースである。図３は、運用ＤＢの構成例である。ここでは、１日ごとに、熱源システム２０に入力された入力エネルギー量と、熱源システム２０から出力（供給）した出力エネルギー量との組が、運用データとして登録されている。
【００２６】
データ収集部１６は、例えば１日間などの単位期間に、熱源システム２０に入力された入力エネルギー量と、熱源システム２０から出力（供給）した出力エネルギー量とを示す運用データを、通信Ｉ／Ｆ部１１および通信回線Ｌを介して熱源システム２０から順次取得する機能と、取得した運用データを運用ＤＢ１５に登録する機能とを有している。
本実施の形態では、運用データが、熱源システム２０の入出力エネルギーの関係を、単位期間ここでは１日ごとに平均化したテータである場合を例として説明するが、これに限定されるものではない。例えば１時間ごとや１週間ごとなど、熱源システム２０での入出力エネルギー量の変化に応じて予め設定された任意の単位期間を用いてもよい。
【００２７】
年特性抽出部１７は、運用ＤＢ１５から取得した、第１の年の１年間または一部期間からなる対象期間における運用データについて、これら運用データの回帰関数を特定することにより、第１の年に関する第１の年特性を抽出する機能と、同じく運用ＤＢ１５から取得した、第１の年とは異なる第２の年の対象期間における運用データについて、これら運用データの回帰関数を特定することにより、第２の年に関する第２の年特性を抽出する機能とを有している。本実施の形態では、第１の年の運用データとしてモデル作成時点の前々年の１年間に得られた運用データを用い、第２の年の運用データとしてモデル作成時点の前年の１年間に得られた運用データを用いる場合について説明する。
【００２８】
季節特性抽出部１８は、運用ＤＢ１５から取得した、モデル作成時点の前年の対象季節における運用データについて、これら運用データの回帰関数を特定することにより、前年の対象季節に関する季節特性を特定する機能を有している。
年特性抽出部１７および季節特性抽出部１８における、複数の運用データから回帰関数を特定する手法については、一般的な公知の手法を用いればよい。例えば、回帰関数として線形関数を用いる場合、最小二乗法などの公知の手法を用いればよい。
【００２９】
熱源モデル作成部１９は、年特性抽出部１７で抽出された第１の年特性と第２の年特性の差分を示す特性補正係数を計算する機能と、得られた特性補正係数に基づいて季節特性抽出部１８で抽出された季節特性を補正することにより、モデル作成時点の当年の対象季節における熱源システム２０の入出力エネルギー特性を示す熱源モデルを作成する機能とを有している。
【００３０】
一般に、熱源機器３０の劣化は、入力エネルギー量に対する出力エネルギー量の低下を表す。このため、前々年と前年の２つの年特性を、入出力エネルギー量の２次元平面における線形関数で表した場合、出力エネルギー量を示す縦軸に沿って上下方向にずれて位置することになる。したがって、これら２つの年特性の差分は、これら線形関数の切片の変化度合で表すことができ、これが１年当たりの季節特性の変化度合に相当する。
【００３１】
なお、第１の年および第２の年が１年違いではなく複数年違う場合には、得られた差分を複数年で除算することにより、１年あたりの差分に変換した後、季節特性を補正すればよい。
また、熱源機器３０によっては、入力エネルギー量に対する出力エネルギー量の低下比率も変化する可能性もあり、このような場合には、これら線形関数の傾きの変化度合で表すことができる。
【００３２】
［第１の実施の形態の動作］
次に、図４を参照して、本実施の形態にかかる熱源モデル作成装置１０の動作について説明する。図４は、熱源モデル作成処理を示すフローチャートである。
ここでは、モデル作成時点の当年をＮとし、その前年Ｎ−１の夏期の運用データＤN-1,SUMMERに基づいて、当年Ｎの夏期熱源モデルＭN,SUMMERを作成する場合を例として説明する。なお、熱源モデルの作成に用いる運用データは、データ収集部１６により熱源システム２０から収集されて運用ＤＢ１５に登録されているものとする。
【００３３】
熱源モデル作成処理については、データ収集部１６が熱源システム２０から収集して運用ＤＢ１５に登録した新たな運用データが一定数に達した時点を契機として実行される機械学習処理として、現時点以降の季節に関する熱源モデルを作成するようにしてもよい。また、操作入力部１２で検出されたオペレータ指示に応じて、指定された対象季節に関する熱源モデルを作成するようにしてもよい。
【００３４】
図５は、年特性抽出処理を示す説明図である。まず、年特性抽出部１７は、運用ＤＢ１５から前々年Ｎ−２と前年Ｎ−１の年運用データＤN-2，ＤN-1を取得し（ステップ１００）、これらＤN-2，ＤN-1から前々年Ｎ−２と前年Ｎ−１に関する年特性ＦN-2，ＦN-1を抽出する（ステップ１０１）。
図６は、年運用データと年特性の関係を示すグラフである。運用データの回帰関数として線形関数を用いた場合、年特性ＦN-2は前々年Ｎ−２の年運用データＤN-2の回帰直線に相当し、年特性ＦN-1は前年Ｎ−１の年運用データＤN-1の回帰直線に相当する。
【００３５】
続いて、季節特性抽出部１８は、運用ＤＢ１５から前年Ｎ−１の夏期運用データＤN-1,SUMMERを取得し（ステップ１０２）、このＤN-1,SUMMERから前年Ｎ−１の夏期に関する夏期季節特性ＧN-1,SUMMERを抽出する（ステップ１０３）。
図７は、季節特性抽出処理を示す説明図である。前年冬期季節特性ＧN-1,WINTERについては、前年Ｎ−１の冬期運用データＤN-1,WINTERから抽出される。また、前年中間期季節特性ＧN-1,MIDDLEについては、前年Ｎ−１の春期運用データＤN-1,SPRINGと秋期運用データＤN-1,AUTUMNを合わせた中間期運用データＤN-1,MIDDLEから抽出される。
【００３６】
図８は、季節運用データと季節特性の関係を示すグラフである。運用データの回帰関数として線形関数を用いた場合、夏期季節特性ＧN-1,SUMMERは、前年Ｎ−１の夏期運用データＤN-1,SUMMERの回帰直線に相当する。同じく、冬期季節特性ＧN-1,WINTERは、前年Ｎ−１の冬期運用データＤN-1,WINTERの回帰直線に相当し、中間期季節特性ＧN-1,MIDDLEは、前年Ｎ−１の中間期運用データＤN-1,MIDDLEの回帰直線に相当する。
【００３７】
この後、熱源モデル作成部１９は、年特性抽出部１７で抽出された、前々年Ｎ−２と前年Ｎ−１に関する年特性ＦN-2，ＦN-1の差分を示す特性補正係数Ｒを計算する（ステップ１０４）。
運用データの回帰関数として線形関数を用いた場合、図６に示したように、特性補正係数Ｒは、ＦN-2，ＦN-1の切片の差に相当する。
【００３８】
続いて、熱源モデル作成部１９は、得られた特性補正係数Ｒに基づいて季節特性抽出部１８で抽出された夏期季節特性ＧN-1,SUMMERを補正することにより、モデル作成時点の当年Ｎの夏期における熱源システム２０の入出力エネルギー特性を示す熱源モデルＭN,SUMMERを作成し（ステップ１０５）、一連の熱源モデル作成処理を終了する。
これにより、図８に示したように、ＧN-1,SUMMERの切片が特性補正係数Ｒだけ減算されて、ＭN,SUMMERが作成される。
【００３９】
［特性補正係数の計算例］
次に、本実施の形態にかかる特性補正係数の計算例について説明する。前述では、熱源モデル作成部１９で特性補正係数Ｒを計算する場合、図５に示したように、年特性抽出部１７で抽出した、前々年Ｎ−２と前年Ｎ−１に関する年特性ＦN-2，ＦN-1を用いる場合を例として説明したが、これに限定されるものではない。
【００４０】
図９は、特性補正係数の計算例を示す説明図である。ここでは、年特性抽出部１７が、運用ＤＢ１５から前年Ｎ−１と当年Ｎの春期運用データＤN-1,SPRING，ＤN,SPRINGを取得して、これらＤN-1,SPRING，ＤN,SPRINGから前年Ｎ−１と前年Ｎに関する年特性ＦN-1，ＦNを抽出し、熱源モデル作成部１９が、これらＦN-1，ＦNの差分を示す特性補正係数Ｒを計算している。
【００４１】
これにより、例えば対象季節が夏期である場合には、その直前の季節である春期の運用データＤN-1,SPRING，ＤN,SPRINGから特性補正係数Ｒを計算することができ、夏期熱源モデルにとって精度の高い特性補正係数Ｒを得ることができる。
なお、この場合、対象季節の１つ前の１季節分の運用データに限定されるものではなく、対象季節の１つ前から遡って２季節分の運用データを用いてもよい。例えば、対象季節が夏期である場合には、その直前の春期と冬期の２季節分の運用データを用いてもよい。これにより、運用データ数が増加するため、特性補正係数Ｒの誤差を小さくすることができる。
【００４２】
図１０は、特性補正係数の他の計算例を示す説明図である。ここでは、年特性抽出部１７が、モデル作成時点Ｔから過去１年分の運用データＤ’N-1と、モデル作成時点Ｔから１年前からさらに過去１年分の運用データＤ’N-2とを運用ＤＢ１５から取得して、これらＤ’N-2，Ｄ’N-1から前年Ｎ−１と前年Ｎに関する年特性Ｆ’N-1，Ｆ’Nを抽出し、熱源モデル作成部１９が、これらＦ’N-1，Ｆ’Nの差分を示す特性補正係数Ｒを計算している。
これにより、年に制限されることなく、モデル作成時点Ｔを基準として、その１年前とさらに１年前における、例えば１年間分などの規定期間分の運用データから特性補正係数Ｒを計算することができる。これにより、モデル作成時点Ｔの直近であった、かつ、多数の運用データを用いることができ、極めて精度の高い特性補正係数Ｒを得ることができる。
【００４３】
［本実施の形態の効果］
このように、本実施の形態は、年特性抽出部１７が、互いに異なる第１および第２の年の対象期間における運用データの回帰関数をそれぞれ特定することにより、第１および第２の年に関する第１および第２の年特性を抽出し、季節特性抽出部１８が、前年の対象季節における運用データに基づいて、これら運用データの回帰関数を特定することにより、前年の対象季節に関する季節特性を抽出し、熱源モデル作成部１９が、第１の年特性と第２の年特性の差分を示す特性補正係数を計算し、得られた特性補正係数に基づいて季節特性を補正することにより、当年の対象季節における熱源システム２０の入出力エネルギー特性を示す熱源モデルを作成するようにしたものである。
【００４４】
これにより、熱源システム２０の特性のうち、季節ごとの運用データからしか得られない季節特性が、例えば、熱源機器３０の運転効率の劣化など、年ごとの運用データからしか得られない年特性で補正されることになる。したがって、年ごとの運用データから得られる熱源システム２０の特性が反映された、対象季節の熱源モデルを作成することが可能となる。
【００４５】
［実施の形態の拡張］
以上、実施形態を参照して本発明を説明したが、本発明は上記実施形態に限定されるものではない。本発明の構成や詳細には、本発明のスコープ内で当業者が理解しうる様々な変更をすることができる。また、各実施形態については、矛盾しない範囲で任意に組み合わせて実施することができる。
【符号の説明】
【００４６】
１０…熱源モデル作成装置、１１…通信Ｉ／Ｆ部、１２…操作入力部、１３…画面表示部、１４…記憶部、１５…運用ＤＢ、１６…データ収集部、１７…年特性抽出部、１８…季節特性抽出部、１９…熱源モデル作成部、２０…熱源システム、３０…熱源機器、Ｌ…通信回線。
【図１】
2018185600.tif 000003
【図２】
2018185600.tif 000004
【図３】
2018185600.tif 000005
【図４】
2018185600.tif 000006
【図５】
2018185600.tif 000007
【図６】
2018185600.tif 000008
【図７】
2018185600.tif 000009
【図８】
2018185600.tif 000010
【図９】
2018185600.tif 000011
【図１０】
2018185600.tif 000012